【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
半円周状又は多角形状に配列された複数の２次元超音波トランスデューサアレイであって、各々の２次元超音波トランスデューサアレイが、Ｍ行Ｎ列（Ｍ、Ｎは２以上の整数）に配列された複数の超音波トランスデューサを含んで３次元走査を行う、前記複数の２次元超音波トランスデューサアレイと、
各々が、前記複数の２次元超音波トランスデューサアレイにおいて同じ行及び同じ列に位置する複数の超音波トランスデューサの第１の電極を互いに電気的に接続し、それらの接続点を外部回路に電気的に接続するための第１群の配線と、
各々が、２次元超音波トランスデューサアレイに含まれている複数の超音波トランスデューサの第２の電極を互いに電気的に接続し、それらの接続点を外部回路に電気的に接続するための第２群の配線と、
を具備する超音波内視鏡。
【請求項２】
半円周状又は多角形状に配列された複数の２次元超音波トランスデューサアレイであって、各々の２次元超音波トランスデューサアレイが、Ｍ行Ｎ列（Ｍ、Ｎは２以上の整数）に配列された複数の超音波トランスデューサを含んで３次元走査を行う、前記複数の２次元超音波トランスデューサアレイと、
各々が、前記複数の２次元超音波トランスデューサアレイにおいて同じ行及び同じ列に位置する複数の超音波トランスデューサの第１の電極を互いに電気的に接続する第１群の配線と、
前記第１群の配線に接続された第１の端子をそれぞれ有する複数の可変遅延線部と、
各々が、２次元超音波トランスデューサアレイにおいて同じ行に位置する複数の超音波トランスデューサにそれぞれ接続された複数の可変遅延線部の第２の端子を互いに電気的に接続し、それらの接続点を外部回路に電気的に接続するための第２群の配線と、
各々が、２次元超音波トランスデューサアレイに含まれている複数の超音波トランスデューサの第２の電極を互いに電気的に接続し、それらの接続点を外部回路に電気的に接続するための第３群の配線と、
を具備する超音波内視鏡。
【請求項３】
請求項１記載の超音波内視鏡と、
複数の駆動信号を生成し、該複数の駆動信号を前記第１群の配線を介して前記複数の２次元超音波トランスデューサアレイに出力する送信手段と、
前記第２群の配線と接地電位とに接続された複数のスイッチ手段と、
前記複数のスイッチ手段に制御信号を供給して前記第２群の配線の各々を接地するか否かを制御することにより前記複数の２次元超音波トランスデューサアレイの内で使用されるアレイを選択し、選択された２次元超音波トランスデューサアレイ毎にそれぞれのエリア内の３次元走査を行うように、前記送信手段における複数の駆動信号の遅延量を制御する制御手段と、
を具備する超音波内視鏡装置。
【請求項４】
請求項２記載の超音波内視鏡と、
複数の駆動信号を生成し、該複数の駆動信号を前記第２群の配線を介して前記複数の２次元超音波トランスデューサアレイに出力する送信手段と、
前記第３群の配線と接地電位とに接続された複数のスイッチ手段と、
前記複数のスイッチ手段に制御信号を供給して前記第３群の配線の各々を接地するか否かを制御することにより前記複数の２次元超音波トランスデューサアレイの内で使用されるアレイを選択し、選択された２次元超音波トランスデューサアレイ毎にそれぞれのエリア内の３次元走査を行うように、前記複数の可変遅延線部に複数の駆動信号の遅延量を制御する遅延量制御信号を供給する制御手段と、
を具備する超音波内視鏡装置。
【請求項５】
前記制御手段が、セクタ方式による３次元走査を行うように、前記送信手段における複数の駆動信号の遅延量を制御する、請求項３記載の超音波内視鏡装置。
【請求項６】
前記制御手段が、セクタ方式による３次元走査を行うように、前記複数の可変遅延線部に複数の駆動信号の遅延量を制御する遅延量制御信号を供給する、請求項４記載の超音波内視鏡装置。
【請求項７】
前記複数のスイッチ手段が、前記超音波内視鏡内に設けられている、請求項３〜６のいずれか１項に記載の超音波内視鏡装置。
【請求項８】
請求項１記載の超音波内視鏡と、
前記第２群の配線と接地電位とに接続された複数のスイッチ手段を備えたアダプタと、
複数の駆動信号を生成し、該複数の駆動信号を前記第１群の配線を介して前記複数の２次元超音波トランスデューサアレイに出力する送信手段と、前記複数のスイッチ手段に制御信号を供給して前記第２群の配線の各々を接地するか否かを制御することにより前記複数の２次元超音波トランスデューサアレイの内で使用されるアレイを選択し、選択された２次元超音波トランスデューサアレイ毎にそれぞれのエリア内の３次元走査を行うように、前記送信手段における複数の駆動信号の遅延量を制御する制御手段とを備えた超音波観測装置と、
を具備する超音波内視鏡装置。
【請求項９】
請求項２記載の超音波内視鏡と、
前記第３群の配線と接地電位とに接続された複数のスイッチ手段を備えたアダプタと、
複数の駆動信号を生成し、該複数の駆動信号を前記第２群の配線を介して前記複数の２次元超音波トランスデューサアレイに出力する送信手段と、前記複数のスイッチ手段に制御信号を供給して前記第３群の配線の各々を接地するか否かを制御することにより前記複数の２次元超音波トランスデューサアレイの内で使用されるアレイを選択し、選択された２次元超音波トランスデューサアレイ毎にそれぞれのエリア内の３次元走査を行うように、前記複数の可変遅延線部に複数の駆動信号の遅延量を制御する遅延量制御信号を供給する制御手段とを備えた超音波観測装置と、
を具備する超音波内視鏡装置。
【手続補正２】
【補正対象書類名】明細書
【補正対象項目名】０００６
【補正方法】変更
【補正の内容】
【０００６】
上記課題を解決するため、本発明の第１の観点に係る超音波内視鏡は、半円周状又は多角形状に配列された複数の２次元超音波トランスデューサアレイであって、各々の２次元超音波トランスデューサアレイが、Ｍ行Ｎ列（Ｍ、Ｎは２以上の整数）に配列された複数の超音波トランスデューサを含んで３次元走査を行う、前記複数の２次元超音波トランスデューサアレイと、各々が、前記複数の２次元超音波トランスデューサアレイにおいて同じ行及び同じ列に位置する複数の超音波トランスデューサの第１の電極を互いに電気的に接続し、それらの接続点を外部回路に電気的に接続するための第１群の配線と、各々が、２次元超音波トランスデューサアレイに含まれている複数の超音波トランスデューサの第２の電極を互いに電気的に接続し、それらの接続点を外部回路に電気的に接続するための第２群の配線とを具備する。
【手続補正３】
【補正対象書類名】明細書
【補正対象項目名】０００７
【補正方法】変更
【補正の内容】
【０００７】
本発明の第２の観点に係る超音波内視鏡は、半円周状又は多角形状に配列された複数の２次元超音波トランスデューサアレイであって、各々の２次元超音波トランスデューサアレイが、Ｍ行Ｎ列（Ｍ、Ｎは２以上の整数）に配列された複数の超音波トランスデューサを含んで３次元走査を行う、前記複数の２次元超音波トランスデューサアレイと、各々が、前記複数の２次元超音波トランスデューサアレイにおいて同じ行及び同じ列に位置する複数の超音波トランスデューサの第１の電極を互いに電気的に接続する第１群の配線と、前記第１群の配線に接続された第１の端子をそれぞれ有する複数の可変遅延線部と、各々が、２次元超音波トランスデューサアレイにおいて同じ行に位置する複数の超音波トランスデューサにそれぞれ接続された複数の可変遅延線部の第２の端子を互いに電気的に接続し、それらの接続点を外部回路に電気的に接続するための第２群の配線と、各々が、２次元超音波トランスデューサアレイに含まれている複数の超音波トランスデューサの第２の電極を互いに電気的に接続し、それらの接続点を外部回路に電気的に接続するための第３群の配線とを具備する。
【手続補正４】
【補正対象書類名】明細書
【補正対象項目名】００４７
【補正方法】変更
【補正の内容】
【００４７】
この３次元の超音波断層像は超音波トランスデューサアレイの幅方向についても走査されているため、操作者は、表示装置４に表示された３次元の超音波断層像に映し出されている目的部位の位置を確認しながら、図２に示す処置具挿入口２５から挿入した穿刺針２６を挿入部２１の先端の孔から突出されることにより、穿刺針２６を目的部位に正確に穿入することができる。